(57)【要約】【課題】コントローラによりヒータの領域ごとの温度制御を可能とし、複数の温度の異なる物体の温度をそれぞれ検出して、これらの物体の温度を常に一定に保持できるシート状温度制御装置を提供する。【解決手段】柔軟性を有するシート基体１１と、このシート基体１１上に形成した複数のストライプ状の下部電極配線１２と、下部電極配線１２に接続し、シート基体１１上にアレイ状に配置されたシート状の抵抗発熱体１３と、抵抗発熱体１３と直列に接続した一方向性素子１７と、一方向性素子１７に接続し、下部電極配線１２に対して交差して設けた複数のストライプ状の上部電極配線１８と、下部電極配線１２と上部電極配線１８とが接続され、抵抗発熱体１３の発熱を制御するコントローラ１９とを備えた構成からなる。【選択図】図１
2007149598.tif 000002
【特許請求の範囲】
【請求項１】
柔軟性を有するシート基体と、
前記シート基体上に形成した複数のストライプ状の下部電極配線と、
前記下部電極配線に接続し、前記シート基体上にアレイ状に配置されたシート状の温度制御素子と、
前記温度制御素子と直列に接続した一方向性素子と、
前記一方向性素子に接続し、前記下部電極配線に対して交差して設けた複数のストライプ状の上部電極配線と、
前記下部電極配線と前記上部電極配線とが接続され、前記温度制御素子の温度を制御するコントローラとを備えたことを特徴とするシート状温度制御装置。
【請求項２】
前記温度制御素子は抵抗発熱体であることを特徴とする請求項１に記載のシート状温度制御装置。
【請求項３】
前記抵抗発熱体は、第１の電極と第２の電極との間に抵抗体層が設けられた面状発熱体からなることを特徴とする請求項２に記載のシート状温度制御装置。
【請求項４】
柔軟性を有する抵抗体シートと、
前記抵抗体シートの一方の面上に、一定間隔を保持して形成した第１の電極と、
前記抵抗体シートの他方の面上で、前記第１の電極と対向する位置に形成した第２の電極と、
前記抵抗体シートの前記一方の面上に形成され、前記第１の電極と接続する複数のストライプ状の下部電極配線と、
前記抵抗体シートの前記他方の面上に形成され、前記第２の電極と接続する一方向性素子と、
前記抵抗体シートの前記他方の面上に形成され、前記一方向性素子に接続し、かつ前記下部電極配線に対して交差して設けた複数のストライプ状の上部電極配線と、
前記下部電極配線と前記上部電極配線とが接続され、前記抵抗発熱体の発熱を制御するコントローラとを備えたことを特徴とするシート状温度制御装置。
【請求項５】
前記下部電極配線と前記コントローラとの間に配置した第１の駆動素子と、
前記上部電極配線と前記コントローラとの間に配置した第２の駆動素子とをさらに備え、
前記コントローラは、前記第１の駆動素子および前記第２の駆動素子を制御して、前記抵抗発熱体を選択的に通電することを特徴とする請求項２から請求項４までのいずれか１項に記載のシート状温度制御装置。
【請求項６】
前記一方向性素子はダイオードであることを特徴とする請求項１から請求項５までのいずれか１項に記載のシート状温度制御装置。
【請求項７】
前記抵抗発熱体の近傍に配置した温度センサーをさらに備え、
前記コントローラは、前記温度センサーによる温度検出値に基づき前記抵抗発熱体の通電を制御することを特徴とする請求項２から請求項６までのいずれか１項に記載のシート状温度制御装置。
【請求項８】
前記温度センサーにより保温すべき物体の温度を一定時間間隔で検知し、
前記コントローラは、前記物体の初期温度との温度差の信号をもとにして前記抵抗発熱体の通電を制御することを特徴とする請求項７に記載のシート状温度制御装置。
【発明の詳細な説明】
【技術分野】
【０００１】
本発明は、柔軟性を有する薄型の平面ヒータであって、特に部分的な加熱制御が可能なシート状温度制御装置に関する。
【背景技術】
【０００２】
従来、シート状のヒータとしては、電気カーペットや電気毛布等があるが、これらは暖房機器として比較的大きなサイズで使われている。このような暖房機器において、部分的な領域の温度を制御することも行われているが、比較的広い範囲の温度を制御し、かつその温度制御範囲もあまり正確ではなかった。
【０００３】
しかしながら、近年このような用途だけでなく、より局部的な領域の温度をできるだけ正確に制御したいという要望が出てきた。特に、酵素反応を利用して液体試料中の特定成分の測定を行うようなバイオセンサー等では、較正液や試料液を決められた温度に維持することが必要であり、様々な工夫がされている（例えば、特許文献１参照）。しかしながら、サンプルごとに個々に温度コントローラとヒータを用いていたのでは、装置の小型化や省スペース化を実現することが難しく、また操作が煩雑となる。そこで、多数のサンプルを並べた状態で、それぞれのサンプルを決められた温度に一定に保つ機能的なヒータシステムが求められてきた。しかしながら、現在まで外部からヒータの一部分を選択して自在にヒータのそれぞれの領域の温度制御を行うことができる機能的なヒータはほとんどなく、全体の温度あるいは比較的広い範囲の領域の温度を比較的粗く温度制御するようなヒータがほとんどである。
【０００４】
図９は、従来のシート状のヒータユニットの構成図である（例えば、特許文献２参照）。このヒータユニットは、フレキシブルな織布や不織布等を材料とするシート基体６１上に印刷形成されたヒータ電極６２と加熱用抵抗体６３で構成され、ヒータ電極６２の一部分には制御用抵抗体６４が構成されている。加熱用抵抗体６３および制御用抵抗体６４は、高分子材料にカーボンブラック、黒鉛およびグラファイト等の炭素系導電材料を混合したもので形成され、ヒータの電極は電気抵抗の小さい銀とカーボンを含有する材料から形成されている。このようなヒータは交流１００Ｖを通電することによって、加熱用抵抗体６３および制御用抵抗体６４によって全体の温度が制御され、一定の温度となるように制御することができる。
【０００５】
また、ホットカーペット等にスイッチ機能を持たせて、加熱体を複数の部分に分割し、機械的な加圧等でスイッチを入切させ、複数の部分ごとに加熱体の温度制御をする構成も示されている（例えば、特許文献３参照）。
【特許文献１】特開平５−２５６８１２号公報
【特許文献２】特開２００２−３０５０７１号公報
【特許文献３】特開平５−３４７１７８号公報
【発明の開示】
【発明が解決しようとする課題】
【０００６】
上記従来の方式では、電気毛布や電気カーペットのように全体の温度を一定に制御する方式、あるいは比較的広い領域の温度を粗く制御することができる程度であった。さらに、ヒータを幾つかの領域に任意に分割し、それぞれの領域を外部からの制御によって個別に発熱させ、温度を制御するヒータシステムも示されているが、それぞれのヒータの分割された領域に用いるスイッチ機構として機械構造を用いているため信頼性に課題がある。また、これらのヒータは、あらかじめ加熱された物体の温度を検出して、この物体を一定温度に保持する機能等を有していない。
【０００７】
本発明は、コントローラによりヒータの領域ごとの温度制御を可能とし、複数の温度の異なる物体の温度をそれぞれ検出して、これらの物体の温度を常に一定に保持できるシート状温度制御装置を提供することを目的としている。
【課題を解決するための手段】
【０００８】
上記目的を達成するために、本発明のシート状温度制御装置は、柔軟性を有するシート基体と、このシート基体上に形成した複数のストライプ状の下部電極配線と、下部電極配線に接続し、シート基体上にアレイ状に配置されたシート状の温度制御素子と、温度制御素子と直列に接続した一方向性素子と、一方向性素子に接続し、下部電極配線に対して交差して設けた複数のストライプ状の上部電極配線と、下部電極配線と上部電極配線とが接続され、抵抗発熱体の温度を制御するコントローラとを備えた構成からなる。
【０００９】
また、上記構成において、温度制御素子は抵抗発熱体であってもよい。この場合に、抵抗発熱体は第１の電極と第２の電極との間に抵抗体層が設けられた面状発熱体からなるものであってもよい。
【００１０】
このような構成とすることにより、シート基体に設けられている抵抗発熱体に対して、それぞれ個別に通電量を制御することができ、任意の抵抗発熱体を加熱することができる。これにより、保温すべき物体の温度を、常に一定に保持することができる。
【００１１】
また、本発明のシート状温度制御装置は、柔軟性を有する抵抗体シートと、この抵抗体シートの一方の面上に一定間隔を保持して形成した第１の電極と、抵抗体シートの他方の面上で、第１の電極と対向する位置に形成した第２の電極と、抵抗体シートの一方の面上に形成され、第１の電極と接続する複数のストライプ状の下部電極配線と、抵抗体シートの他方の面上に形成され、第２の電極と接続する一方向性素子と、抵抗体シートの他方の面上に形成され、一方向性素子に接続し、かつ下部電極配線に対して交差して設けた複数のストライプ状の上部電極配線と、下部電極配線と上部電極配線とが接続され、抵抗発熱体の発熱を制御するコントローラとを備えた構成からなる。
【００１２】
このような構成とすることにより、シート基体に設けられている抵抗発熱体に対して、それぞれ個別に通電量を制御することができ、任意の抵抗発熱体を加熱することができる。これにより、保温すべき物体の温度を、常に一定に保持することができる。さらに、この構成においては、シート状保温シートの作製工程を簡略化することもできる。
【００１３】
また、上記構成において、下部電極配線とコントローラとの間に配置した第１の駆動素子と、上部電極配線とコントローラとの間に配置した第２の駆動素子とをさらに備え、コントローラは第１の駆動素子および第２の駆動素子を制御して、抵抗発熱体を選択的に通電するようにしてもよい。
【００１４】
また、上記構成において、一方向性素子はダイオードであってもよい。
【００１５】
このような構成とすることにより、コントローラに接続する配線数を少なくすることができる。なお、第１の駆動素子と第２の駆動素子の一方は、サーマルヘッド等に用いられる駆動ドライバーと同様な構成の回路からなり、他方はスイッチング素子回路とすれば、任意の抵抗発熱体に通電することができる。
【００１６】
また、上記構成において、抵抗発熱体の近傍に配置した温度センサーをさらに備え、コントローラは温度センサーによる温度検出値に基づき抵抗発熱体の通電を制御する構成としてもよい。このような構成とすることにより、抵抗体近傍の温度を検出して所定の抵抗発熱体の加熱温度を制御することができる。
【００１７】
また、上記構成において、温度センサーにより保温すべき物体の温度を一定時間間隔で検知し、コントローラは上記物体の初期温度との温度差の信号をもとにして抵抗発熱体の通電を制御するようにしてもよい。
【００１８】
このような構成とすることにより、シート状温度制御装置により保温すべき複数の物体を常にそれぞれの温度に保持することができる。
【発明の効果】
【００１９】
本発明のシート状温度制御装置は、必要な領域の抵抗発熱体に電流を流すことにより、保温が必要な複数の物体の温度をそれぞれ常に一定の温度に保持することができるという大きな効果を奏する。
【発明を実施するための最良の形態】
【００２０】
以下、本発明の実施の形態にかかるシート状温度制御装置について図面を参照しながら説明する。なお、同じ要素については同じ符号を付しており、説明を省略する場合がある。
【００２１】
（第１の実施の形態）
図１は、本発明の第１の実施の形態にかかるシート状温度制御装置の構成を示す模式図であり、（ａ）は概略構成図、（ｂ）はＡ−Ａ線で切断した断面図である。
【００２２】
本実施の形態のシート状温度制御装置１０は、柔軟性を有するシート基体１１と、シート基体１１上に形成した複数のストライプ状の下部電極配線１２と、下部電極配線１２に接続し、シート基体１１上にアレイ状に配置されたシート状の温度制御素子１３と、温度制御素子１３と直列に接続した一方向性素子１７と、一方向性素子１７に接続し、下部電極配線１２に対して交差して設けた複数のストライプ状の上部電極配線１８と、下部電極配線１２と上部電極配線１８とが接続され、抵抗発熱体１３の発熱を制御するコントローラ１９とを備えた構成からなる。
【００２３】
さらに、本実施の形態では、温度制御素子１３は抵抗発熱体からなり、さらに第１の電極１４と第２の電極１６との間に抵抗体層１５が設けられた面状発熱体からなる。したがって、以下では、抵抗発熱体１３として説明する。また、一方向性素子１７はシリコン半導体により形成されたダイオードであり、以下ではダイオード１７として説明する。
【００２４】
また、抵抗発熱体１３の近傍に配置した温度センサー２０をさらに備えている。この温度センサー２０は、本実施の形態では、抵抗発熱体１３に対向する反対側のシート基体１１上にそれぞれ配置されている。この温度センサー２０は、チップ状のサーミスタや薄膜サーミスタ、あるいは熱電対等であってもよく、図示しない配線によりコントローラ１９に接続されている。そして、このコントローラ１９は、温度センサー２０による温度検出値に基づき抵抗発熱体１３の通電を制御する。なお、コントローラ１９には、電源（図示せず）が接続されており、この電源により抵抗発熱体に所定の電圧とパルス幅で通電することができる。
【００２５】
以下、さらに具体的に構成を説明する。下部電極配線１２と上部電極配線１８との交点領域には、それぞれシート状の抵抗発熱体１３がダイオード１７と直列に接続されて、これらの電極配線間に挟み込まれている。この抵抗発熱体１３は、上記したように第１の電極１４と第２の電極１６とにより抵抗体層１５を挟持した構造であり、第１の電極１４から第２の電極１６の方向、あるいは第２の電極１６から第１の電極１４の方向へ通電することで、抵抗体層１５を発熱させる構成である。
【００２６】
本実施の形態においては、抵抗発熱体１３を構成する抵抗体層１５は、例えば樹脂材料とカーボンの混合からなる。また、第１の電極１４と第２の電極１６とは、例えば金属粒子を含有したペーストを印刷等により形成して作製される。または、第１の電極１４となる金属材料を蒸着し、この上に抵抗体層１５となる材料を蒸着し、さらに第２の電極１６となる金属材料を蒸着した後、エッチングにより所定のパターンに加工して形成してもよい。
【００２７】
また、下部電極配線１２、上部電極配線１８、抵抗発熱体１３およびダイオード１７は、例えばポリイミド等の耐熱性と柔軟性を有するシート基体１１上に形成されており、シート状温度制御装置１０は全体としてフレキシブルな構造となっている。
【００２８】
このような構成からなるシート状温度制御装置１０の動作について、以下に説明する。図１に示す構成において、例えば抵抗発熱体１３ａ、１３ｃ、１３ｅ、１３ｇ、１３ｉ、１３ｍ、１３ｐ、１３ｒ、１３ｖを発熱させるとした場合には、以下のように動作させる。なお、図１においては、抵抗発熱体１３の個々にそれぞれ符号を付しているが、上記の抵抗発熱体１３ａ、１３ｃ、１３ｅ、１３ｇ、１３ｉ、１３ｍ、１３ｐ、１３ｒ、１３ｖ以外については、説明を省略する。
【００２９】
最初に、コントローラ１９により行Ａを選択する。同時に、列Ｅ、列Ｇおよび列Ｉを選択する。これにより、抵抗発熱体１３ａ、１３ｃ、１３ｅのみ発熱させることができる。この場合に、コントローラ１９の内部において、列Ｅ、列Ｇおよび列Ｉに通電するパルス幅をそれぞれ設定すれば、抵抗発熱体１３ａ、１３ｃ、１３ｅの発熱量をそれぞれ個別に制御することができる。
【００３０】
次に、行Ａを開放し、行Ｂを選択する。同時に、列Ｆと列Ｈを選択する。これにより、抵抗発熱体１３ｇ、１３ｉのみを発熱させることができる。この場合にも上記と同様に、コントローラ１９の内部において、列Ｆと列Ｈに通電するパルス幅をそれぞれ設定すれば、抵抗発熱体１３ｇ、１３ｉの発熱量をそれぞれ個別に制御することができる。
【００３１】
次に、行Ｂを開放し、行Ｃを選択する。同時に、列Ｆと列Ｈを選択する。これにより、抵抗発熱体１３ｍ、１３ｐのみを発熱させることができる。この場合にも上記と同様に、コントローラ１９の内部において、列Ｆと列Ｈに通電するパルス幅をそれぞれ設定すれば、抵抗発熱体１３ｍ、１３ｐの発熱量をそれぞれ個別に制御することができる。
【００３２】
次に、行Ｃを開放し、行Ｄを選択する。同時に、列Ｅと列Ｉを選択する。これにより、抵抗発熱体１３ｒ、１３ｖのみを発熱させることができる。この場合にも上記と同様に、コントローラ１９の内部において、列Ｅと列Ｉに通電するパルス幅をそれぞれ設定すれば、抵抗発熱体１３ｒ、１３ｖの発熱量をそれぞれ個別に制御することができる。
【００３３】
これにより発熱すべき抵抗発熱体１３に通電を行うことができるので、この動作を一定時間繰り返して行う。そして、それぞれの箇所の温度を温度センサー２０により検知し、それぞれの抵抗発熱体１３に印加するパルス幅を設定して印加すれば、それぞれの箇所を一定温度に保持することができる。
【００３４】
次に、本実施の形態のシート状温度制御装置１０の製造方法について説明する。図２から図５は、本実施の形態のシート状温度制御装置１０の製造工程を説明する主要工程の図で、（ａ）は平面図、（ｂ）は断面図である。
【００３５】
最初に、図２に示すように、シート基体１１の表面に一定の間隔を有してストライプ形状の下部電極配線１２を形成する。下部電極配線１２は、例えば銅を蒸着または蒸着とめっきまたは銅箔を貼り付けた後にエッチングして形成することができる。あるいは、銀ペーストを印刷して形成してもよい。
【００３６】
次に、図３に示すように、下部電極配線１２に接続して抵抗発熱体１３とダイオード１７とを配置する。この抵抗発熱体１３とダイオード１７とは、あらかじめ第１の電極１４と第２の電極１６との間に抵抗体層１５が設けられた抵抗発熱体１３を別途作製し、この抵抗発熱体１３の表面にダイオード１７を接続しておいたものを、それぞれの位置において下部電極配線１２と電気的に接続するとともにシート基体１１に接着して配置してもよい。あるいは、第１の電極１４、抵抗体層１５および第２の電極１６を蒸着やスパッタリング等により形成した後、所定の形状にエッチングして抵抗発熱体１３を形成してもよい。この抵抗発熱体１３上に、それぞれダイオード１７を接続してもよい。さらには、ダイオード１７を薄膜技術により形成してもよい。
【００３７】
次に、図４に示すように、ダイオード１７と接続し、下部電極配線１２と交差するように上部電極配線１８を形成する。この上部電極配線１８も、例えば銅を蒸着または蒸着とめっきまたは銅箔を貼り付けた後にエッチングして形成することができる。あるいは、銀ペーストを印刷して形成してもよい。なお、ダイオード１７の接続部を除く領域と抵抗発熱体１３を覆うように絶縁膜（図示せず）あるいは絶縁シート（図示せず）を形成した後に、上部電極配線１８を形成する。
【００３８】
次に、図５に示すように、抵抗発熱体１３の近傍で、シート基体１１の裏面に温度センサー２０を配置する。この温度センサー２０は、チップサーミスタをあらかじめ形成してあるセンサー用配線（図示せず）に実装することが簡単で好ましい。または、薄膜サーミスタとなる材料を蒸着等により形成し、さらにセンサー用配線となる導体材料を同様に蒸着とにより形成した後、エッチング加工して形成してもよい。
【００３９】
以上により、図１に示す抵抗発熱体１３がアレイ状に配置されたシート状の保温ヒータが得られるので、下部電極配線１２、上部電極配線１８および図示しないセンサー用配線をコントローラ１９に接続すれば、シート状温度制御装置１０を得ることができる。
【００４０】
（第２の実施の形態）
図６は、本発明の第２の実施の形態にかかるシート状温度制御装置３０の構成を示す平面図である。本実施の形態のシート状温度制御装置３０は、シート基体１１上に下部電極配線１２、抵抗発熱体１３、ダイオード１７、上部電極配線１８および温度センサー２０を設けている点については第１の実施の形態のシート状温度制御装置１０と同じであるが、本実施の形態では抵抗発熱体１３の個数を多くしていることが特徴である。
【００４１】
このように抵抗発熱体１３の個数を多くしていることから、本実施の形態のシート状温度制御装置３０は、下部電極配線１２とコントローラ３３との間に配置した第１の駆動素子３１と、上部電極配線１８とコントローラ３３との間に配置した第２の駆動素子３２とをさらに備えている。そして、コントローラ３３は、第１の駆動素子３１および第２の駆動素子３２を制御して、選択的に抵抗発熱体１３に通電する。
【００４２】
すなわち、本実施の形態では、第１の駆動素子３１は下部電極配線１２を切り替えて選択することができるスイッチング機能を有する。また、第２の駆動素子３２は、例えばサーマルヘッドの駆動ドライバーと同様のシフトレジスタ、ラッチ、ゲート回路を有する。このような構成としたときの駆動方法について説明する。最初に、コントローラ３３により第１の駆動素子３１を駆動し、第１番目の下部電極配線１２を選択してＯＮ状態とする。このときには、他の下部電極配線１２はＯＦＦ状態とされている。この状態で、コントローラ３３により第２の駆動素子３２を駆動し、シフトレジスタにより発熱させるべき抵抗発熱体１３に接続する上部電極配線１８を選択しラッチする。そして、ゲートを開けば、選択した抵抗発熱体１３にのみ通電することができる。
【００４３】
この場合に、温度センサー（図示せず）の温度情報をもとにして発熱すべき抵抗発熱体１３と、通電パルス幅を設定すれば、その箇所を一定温度に保持することができる。
【００４４】
次に、第２番目の下部電極配線１２を選択してＯＮ状態とし、第２の駆動素子３２を同様に駆動して通電する。第３番目以降の下部電極配線１２についても、このような動作を繰り返せばシート基体１１に配置されている抵抗発熱体１３のうちの選択された抵抗発熱体のみ、所定の発熱量で発熱させることができる。これにより、保温すべき温度の異なる複数の物体に対して、それぞれの温度で長時間保持することができる。
【００４５】
なお、本実施の形態のシート状温度制御装置３０の場合には、温度センサーを複数の抵抗発熱体１３に対して１個設けてもよい。
【００４６】
図７は、本実施の形態にかかるシート状温度制御装置３０を用いて、調理された食品の温度を一定に保持する場合の構成を説明するための図で、（ａ）は食品とシート状温度制御装置３０の配置を示す斜視図、（ｂ）はシート状温度制御装置３０における食品の領域を示す図である。テーブル５０上に形状および保持すべき温度の異なる食品５１、５２、５３が置かれており、これらの食品５１、５２、５３を覆うようにシート状温度制御装置３０が被されている。
【００４７】
食品５１は、例えば５０℃に保持することが必要であり、食品５２は４０℃、食品５３は７０℃に保持することが必要であるとする。最初に、コントローラ３３は、温度センサーによりそれぞれの食品５１、５２、５３の初期温度を確認する。次に、一定時間経過ごとにそれぞれの食品５１、５２、５３の温度を測定し、この温度と初期温度との差を求める。そして、初期温度との差をなくすように抵抗発熱体を加熱する。この場合に、それぞれの食品５１、５２、５３に対応する領域のみの抵抗発熱体を加熱できるので、それぞれの食品５１、５２、５３に要求される温度を常に保持することができる。
【００４８】
（第３の実施の形態）
図８は、本発明の第３の実施の形態にかかるシート状温度制御装置４０の構成を示す図で、（ａ）は平面図、（ｂ）はＢ−Ｂ線に沿った断面図である。本実施の形態のシート状温度制御装置４０は、例えばグラファイト粒子を分散した高抵抗樹脂からなる抵抗体シートをシート基体４１として用い、この両面に第１の電極４４と第２の電極４６を形成し、この第１の電極４４と第２の電極４６とで挟まれたシート基体４１の領域を抵抗体層４５としたことが特徴である。なお、以下では、抵抗体シート４１またはシート基体４１として説明する場合がある。
【００４９】
すなわち、本実施の形態のシート状温度制御装置４０は、柔軟性を有する抵抗体シート４１と、抵抗体シート４１の一方の面上に、一定間隔を保持して形成した第１の電極４４と、抵抗体シート４１の他方の面上で、第１の電極４４と対向する位置に形成した第２の電極４６と、抵抗体シート４１の一方の面上に形成され、第１の電極４４と接続する複数のストライプ状の下部電極配線４２と、抵抗体シート４１の他方の面上に形成され、第２の電極４６と接続する一方向性素子４７と、抵抗体シート４１の他方の面上に形成され、一方向性素子４７に接続し、かつ下部電極配線４２に対して交差して設けた複数のストライプ状の上部電極配線４８と、下部電極配線４２と上部電極配線４８とが接続され、抵抗発熱体４３の発熱を制御するコントローラ４９とを備えている。
【００５０】
抵抗体シート４１の厚みは約０．２ｍｍ程度であり、フレキシブルに折り曲げ等が可能である。
【００５１】
このように形成されたシート状温度制御装置４０は、抵抗体シートがシート基体４１となり、シート基体４１の両面を用いて配線等を形成することができるので、工程が簡単となり、かつ低コスト化を実現できる。
【００５２】
なお、本実施の形態のシート状温度制御装置４０の動作については、第１の実施の形態のシート状温度制御装置１０と同様であるので説明を省略する。また、シート状温度制御装置４０の各部分の温度については、抵抗発熱体４３の近傍に形成した温度センサー（図示せず）によって測定し、この温度情報によりコントローラ４９がそれぞれの抵抗発熱体４３に通電する通電パルス幅等を設定するが、この動作についても第１の実施の形態と同様であるので説明を省略する。
【００５３】
第１の実施の形態から第３の実施の形態までのシート状温度制御装置は、第２の実施の形態で説明したような食品の温度を保持する用途だけでなく、例えばバイオ分野において複数の試料をそれぞれ設定した温度に保持する場合等にも使用できる。
【００５４】
以上、第１の実施の形態および第２の実施の形態では、温度制御素子として抵抗発熱体を用いる場合について説明したが、本発明はこれに限定されない。温度に依存して、例えば抵抗値が変化する温度制御素子を用いてもよい。このような温度制御素子を用いれば、シート状温度制御装置に包まれた任意の３次元形状物体の温度分布を検出し、かつ温度制御素子の温度もコントロールすることができる。温度制御素子としては、温度に依存して抵抗、容量、インダクダンスなどが変化するものであれば、どのようなものでもよい。被測定対象によって、温度制御素子自体は発熱しないほうが好ましい場合は、発熱しない温度制御素子を用いてもよい。また、温度センサーにより３次元形状物体の温度分布を測定してもよい。
【産業上の利用可能性】
【００５５】
本発明のシート状温度制御装置は、保温すべき温度の異なる複数の物体に対して、それぞれ設定した温度に保持することができるので、バイオ分野の多数の試料の個別保温等の分野や、食品等の保温を行う分野に有用である。
【図面の簡単な説明】
【００５６】
【図１】（ａ）は本発明の第１の実施の形態にかかるシート状温度制御装置の構成を示す概略構成図、（ｂ）はＡ−Ａ線で切断した断面図
【図２】（ａ）は同実施の形態のシート状温度制御装置の製造工程を説明する主要工程の平面図、（ｂ）は断面図
【図３】（ａ）は同実施の形態のシート状温度制御装置の製造工程を説明する主要工程の平面図、（ｂ）は断面図
【図４】（ａ）は同実施の形態のシート状温度制御装置の製造工程を説明する主要工程の平面図、（ｂ）は断面図
【図５】（ａ）は同実施の形態のシート状温度制御装置の製造工程を説明する主要工程の平面図、（ｂ）は断面図
【図６】本発明の第２の実施の形態にかかるシート状温度制御装置の構成を示す平面図
【図７】（ａ）は同実施の形態にかかるシート状温度制御装置を用いて、調理された食品の温度を一定に保持する場合の構成を説明するための食品とシート状温度制御装置の配置を示す斜視図、（ｂ）はシート状温度制御装置における食品の領域を示す図
【図８】（ａ）は本発明の第３の実施の形態にかかるシート状温度制御装置の構成を示す平面図、（ｂ）はＢ−Ｂ線に沿った断面図
【図９】従来のシート状のヒータユニットの構成図
【符号の説明】
【００５７】
１０，３０，４０    シート状温度制御装置
１１，６１    シート基体
１２，４２    下部電極配線
１３，１３ａ，１３ｃ，１３ｅ，１３ｇ，１３ｉ，１３ｍ，１３ｐ，１３ｒ，１３ｖ，４３    抵抗発熱体
１４，４４    第１の電極
１５，４５    抵抗体層
１６，４６    第２の電極
１７，４７    一方向性素子（ダイオード）
１８，４８    上部電極配線
１９，３３，４９    コントローラ
２０    温度センサー
３１    第１の駆動素子
３２    第２の駆動素子
４１    抵抗体シート（シート基体）
５０    テーブル
５１，５２，５３    食品
６２    ヒータ電極
６３    加熱用抵抗体
６４    制御用抵抗体
【図１】
2007149598.tif 000003
【図２】
2007149598.tif 000004
【図３】
2007149598.tif 000005
【図４】
2007149598.tif 000006
【図５】
2007149598.tif 000007
【図６】
2007149598.tif 000008
【図７】
2007149598.tif 000009
【図８】
2007149598.tif 000010
【図９】
2007149598.tif 000011